(57)【要約】      （修正有）【課題】配水管から立ち上げられる地下式のバルブの真位置測定用ジグを提供する。【解決手段】一対のコ字状をした枠体１ａ、１ｂを有し、その各枠体の中央部位に内方に向けた突出片を設け、その突出片の先端縁には対象となるバルブを囲繞するための切り欠きを設けてあり、切り欠きは各枠体と相似形をしたコ字状であり、さらに、突出片には切り欠きによって二つの小突片が形成されている。【選択図】図１
0003232159.tif 000002
【実用新案登録請求の範囲】
【請求項１】
一対のコ字状をした枠体を有し、その各枠体の中央部位に内方に向けた突出片を設け、その突出片の先端縁には対象となるバルブを囲繞するための切り欠きを設けてあることを特徴とするバルブの真位置測定用ジグ。
【請求項２】
前記切り欠きは各枠体と相似形をしたコ字状であることを特徴とする請求項１に記載のバルブの真位置測定用ジグ。
【請求項３】
前記突出片には前記切り欠きによって二つの小突片が形成されていることを特徴とする請求項２に記載のバルブの真位置測定用ジグ。
【請求項４】
前記したバルブは地下式の消火栓であることを特徴とする請求項１から３のうち１項に記載のバルブの真位置測定用ジグ。
【請求項５】
前記枠体の縦材は肉厚なものとしてあることを特徴とする請求項１に記載のバルブの真位置測定用ジグ。
【請求項６】
前記縦材の両端には肉薄とした支承横板材が、縦材と直交方向で相互に平行に設けられていることを特徴とする請求項５に記載のバルブの真位置測定用ジグ。
【請求項７】
前記支承用横板材の端縁と前記小突片の端縁には直線上に位置されていることを特徴とする請求項３、請求項５または請求項６に記載のバルブの真位置測定用ジグ。
【請求項８】
前記突出片にはバルブの平面的な中心線を測るためのガイドラインが設けられていることを特徴とする請求項１に記載のバルブの真位置測定用ジグ。
【考案の詳細な説明】
【技術分野】
【０００１】
本発明はバルブの真位置測定用ジグに関し、特に配水管から立ち上げられる地下式のバルブの真位置測定用ジグに関する。
【背景技術】
【０００２】
一般的に配水管から立ち上げられる消火栓をはじめとするバルブには、外衝からの保護のためその周域にレジンコンクリートで成形されるボックスが埋設設置される。その際には、バルブの中心の真位置を測定して、その真位置に合うようにレジンコンクリートのボックスを設置する必要性があり、この真位置が対象となるバルブの口径で変更する場合も生じる。
【０００３】
そこで、現状では、バルブの真位置を取るための測定は、現場作業者がメジャーを使用して、上下、左右を測り、真位置を取ることが行われている。
【０００４】
また、レジンコンクリートボックスの最下部には、このレジンコンクリートボックス上を重量車両が通過する時等の保護対策として、二枚の底板が設けられているが、バルブの真位置を取る作業にあっては、この底板も少なくとも一枚を動かして作業をすることが必要となり、バルブは真位置を取る作業は非常に困難となり、また、時間もかかる煩わしいものとなり、この真位置を取る作業には熟練性も大きく要求されるものとなっている。
【先行技術文献】
【特許文献】
【０００５】
出願人は、本願考案について、先行する技術文献を調査したが、格別に本考案と関連し、類似していると思われる文献は発見できなかった。
【考案の概要】
【考案が解決しようとする課題】
【０００６】
本考案が解決しようとする問題点は、従来、バルブの真位置を取るための作業は非常に面倒で時間も長く、格別な熟練性も要求されてしまうものであり、この作業を補助するための格別な器具や装置は存在していなかったという点である。
【課題を解決するための手段】
【０００７】
この問題点を解決するために、本考案に係るバルブの真位置測定用ジグは、一対のコ字状をした枠体を有し、その各枠体の中央部位に内方に向けた突出片を設け、その突出片の先端縁には対象となるバルブを囲繞するための切り欠きを設けてあることを特徴としている。
【０００８】
また、本考案に係るバルブの真位置測定用ジグは、前記切り欠きは各枠体と相似形をしたコ字状であることを特徴としている。
【０００９】
さらに、本考案に係るバルブの真位置測定用ジグは、前記突出片には前記切り欠きによって二つの小突片が形成されていることを特徴としている。
【００１０】
そして、本考案に係るバルブの真位置測定用ジグは、前記したバルブは地下式の消火栓であることを特徴としている。
【００１１】
また、本考案に係るバルブの真位置測定用ジグは、前記枠体の縦材は肉厚なものとしてあることを特徴としている。
【００１２】
さらに、本考案に係るバルブの真位置測定用ジグは、前記縦材の両端には肉薄とした支承横板材が、縦材と直交方向で相互に平行に設けられていることを特徴としている。
【００１３】
そして、本考案に係るバルブの真位置測定用ジグは、前記支承用横板材の端縁と前記小突片の端縁には直線上に位置されていることを特徴としている。
【００１４】
また、本考案に係るバルブの真位置測定用ジグは、前記突出片にはバルブの平面的な中心線を測るためのガイドラインが設けられていることを特徴としている。
【考案の効果】
【００１５】
本考案に係るバルブの真位置測定用ジグは、上記のように構成されている。そのために、本考案を実施したバルブの真位置測定用ジグを対象となるバルブのセンターに合せて敷設置をするだけで、バルブの真位置を取ることが可能となるもので、煩わしい作業が必要なく、時間もかからず、格別な熟練性も不要となり、誰でもが容易に目的を達成することができる。
【図面の簡単な説明】
【００１６】
【図１】一対の枠体を使用する状態で対向させて置いた状態の背面図である。
【図２】一方の枠体の平面図である。
【図３】一方の枠体の側面図である。
【図４】使用状態を示す図である。
【図５】使用状態を別方向から見た図である。
【考案を実施するための形態】
【００１７】
図として示し、実施例で説明したように構成したことで実現した。
【実施例１】
【００１８】
次に、本願考案の好ましい実施の一例を図面を参照して説明する。図中１ａは本考案を実施した第一の枠体を示し、１ｂはこの枠体１ａと対向して使用される第二の枠体を示している。この各枠体１ａ、１ｂはそれぞれ縦材２ａ、２ｂを有しており、この実施例にあって、この縦材２ａ、２ｂは肉厚となる角材が使用されており、縦材２ａ、２ｂは共に同一長さと、同一幅、同一厚さを有している。
【００１９】
各枠体１ａ、１ｂは、前記縦材２ａ、２ｂの長さが埋設設置を予定するレジンコンクリートボックスの幅と合致する寸法となっており、この先端に縦材２ａ、２ｂと直交する方向へ支承横板材３ａ、３ｂ、３ｃ、３ｄが設けられており、この支承横板材３ａ、３ｂ、３ｃ、３ｄの厚さは縦材２ａ、２ｂの略３分の１程度のものとなっている。
【００２０】
また、前記縦材１ａ、１ｂの中央部位には前記支承横板材３ａ、３ｂもしくは３ｃ、３ｄと同一方向に向けて幅広の突出片４ａ、４ｂが設けられている。この突出片４ａ、４ｂの先端縁には対象となるバルブを囲繞するための切り欠き５ａ、５ｂが形成されており、この各切り欠き５ａ、５ｂは各枠体１ａ、１ｂと相似形となるコ字状に形成されている。
【００２１】
この切り欠き５ａ、５ｂの成形によって、各突出片４ａ、４ｂの端縁コーナーには小突片６ａ、６ｂ、６ｃ、６ｄが形成されている。さらに、前記突出片４ａ、４ｂの表裏中央には、各小突片６ａ、６ｂ、６ｃ、６ｄと平行状態に対象となるバルブの平面的な中心線を測るためのガイドライン７ａ、７ｂが実施例にあっては鎖線によって設けられている。
【００２２】
本考案に係るバルブの真位置測定用ジグは上記のように構成されている。次いで、このジグの使用方法について説明する。図４、図５として示すように、本考案に係るジグは一対の枠体１ａ、１ｂを、その支承横板材３ａ、３ｂ及び３ｃ、３ｄを突き合わせるようにして、切り欠き５ａ、５ｂが対象となるバルブの周域を囲繞するように配置する。この際に、突出片４ａ、４ｂに設けられたガイドライン７ａ、７ｂをそのバルブの平面的な中心線に合せて置くことによって熟練性とは関係なく容易にバルブの真位置を測定し、取ることができるものとなっている。
【００２３】
この設置作業の際に縦材２ａ、２ｂは握持部として使用することもでき、設置状態ではウェイトとして作用し、位置を安定させることができる。
【００２４】
また、本実施例にあっては、ガイドライン７ａ、７ｂは鎖線によって設けているが、これはこれにこだわるものではなく直線でもよく、必要に応じて矢印等の表記としてもよい。さらに、本実施例にあって素材は木材を使用しているが、この素材も限定されるものではなく、型成形が可能なプラスチックや金属を用いることができるのは勿論である。
【産業上の利用可能性】
【００２５】
本実施例にあっては対象となるバルブを消火栓を想定しているが、このバルブは消火栓に限定されるものではなく、配水管から立ち上げられるバルブ、例えば制御弁、切り替え弁、流量調整弁あるいは空気弁等についても同様に使用することができる。
【符号の説明】
【００２６】
１ａ、１ｂ    枠体
２ａ、２ｂ    縦材
３ａ、３ｂ、３ｃ、３ｄ  支承横板材
４ａ、４ｂ    突出片
５ａ、５ｂ    切り欠き
６ａ、６ｂ、６ｃ、６ｄ  小突片
７ａ、７ｂ    ガイドライン
【図１】
0003232159.tif 000003
【図２】
0003232159.tif 000004
【図３】
0003232159.tif 000005
【図４】
0003232159.tif 000006
【図５】
0003232159.tif 000007